(57)【要約】【課題】遊技内容をよく知らない遊技者であっても、ゲームの内容や進行状態を理解して、容易にゲームを楽むことができるようにする。【解決手段】的本体２にダーツボード３を取付ける。的本体２の下部に、コイン投入部７と操作パネル部８とを備えた制御装置本体４を一体に取付ける。的本体２に、開閉可能な蓋体５を設ける。この蓋体５の内面に、液晶表示パネル６を取付ける。この液晶表示パネル６に、装置の取扱い方法，遊技内容の説明，あるいは遊技の進行状態等を表示させる。これにより、遊技内容をよく知らない遊技者であっても、容易にゲームを楽しむことができる。【選択図】図１
2006122373.tif 000002
【特許請求の範囲】
【請求項１】
ダーツボードを有する的本体と；的本体に一体に設けられた制御装置本体と；的本体に対し開閉可能に設けられ、開いた状態にした際に、内面に取付けられた液晶表示パネルをＯＮして初期画面を表示させる蓋体と；を備え、前記制御装置本体は、その表面に少なくともコイン投入口および操作パネル部を有するとともに、内部に制御器を有し、制御器は、前記コイン投入口からのコインの投入を確認して前記操作パネル部をＯＮする機能と；操作パネル部からの入力信号に基づき、ゲームの種類を決定してその遊技の内容および遊技の進行状態を液晶表示パネルに表示する機能と；ダーツがダーツボードに当たった際のダーツボードからの入力信号に基づき、遊技者の得点を演算して、演算結果を液晶パネルに表示する機能と；を備えていることを特徴とするダーツ遊技装置。
【請求項２】
制御装置本体は、音声報知手段を備えていることを特徴とする請求項１記載のダーツ遊技装置。
【発明の詳細な説明】
【技術分野】
【０００１】
本発明は、ダーツ遊技装置に係り、特に遊技内容をよく知らない遊技者であっても、容易にゲームを楽しむことができるダーツ遊技装置に関する。
【背景技術】
【０００２】
従来から、ダーツボードにダーツを当ててその得点を競うダーツ遊技装置は一般に知られており、また一部では、自動スコア表示機能を備えたダーツ遊技装置も提案されている。
【特許文献１】実用新案登録第３０８４７１６号公報
【特許文献２】実用新案登録第３０４２３２３号公報
【発明の開示】
【発明が解決しようとする課題】
【０００３】
自動スコア表示機能を備えた前記従来のダーツ遊技装置は、スコアが自動表示されるため、初心者でも容易に自己の得点を確認できると云う利点を有しているが、表示されるのが得点のみであるため、遊技内容をよく知らない遊技者の場合には、ゲームの内容や進行状態を把握できずゲームを楽しむことができないと云った問題がある。
【０００４】
本発明は、かかる現況に鑑みなされたもので、遊技内容をよく知らない遊技者であっても、容易にゲームの内容や進行状態を把握してゲームを楽しむことができるダーツ遊技装置を提供することを目的とする。
【０００５】
本発明の他の目的は、音声でも遊技方法や遊技者の得点等を知ることができ、高齢者等であっても充分にゲームを楽しむことができるダーツ遊技装置を提供するにある。
【課題を解決するための手段】
【０００６】
前記目的を達成するため本発明は、ダーツボードを有する的本体と；的本体に一体に設けられた制御装置本体と；的本体に対し開閉可能に設けられ、開いた状態にした際に、内面に取付けられた液晶表示パネルをＯＮして初期画面を表示させる蓋体と；を設け、前記制御装置本体の表面に、少なくともコイン投入口および操作パネル部を設けるとともに、内部に制御器を設け、制御器に、前記コイン投入口からのコインの投入を確認して前記操作パネル部をＯＮする機能と；操作パネル部からの入力信号に基づき、ゲームの種類を決定してその遊技の内容および遊技の進行状態を液晶表示パネルに表示する機能と；ダーツがダーツボードに当たった際のダーツボードからの入力信号に基づき、遊技者の得点を演算して、演算結果を液晶パネルに表示する機能と；を持たせるようにしたことを特徴とする。
【０００７】
本発明はまた、制御装置本体に、音声報知手段を設けるようにしたことを特徴とする。
【発明の効果】
【０００８】
本発明は、ダーツボードを有する的本体と；的本体に一体に設けられた制御装置本体と；的本体に対し開閉可能に設けられ、開いた状態にした際に、内面に取付けられた液晶表示パネルをＯＮして初期画面を表示させる蓋体と；を設け、前記制御装置本体の表面に、少なくともコイン投入口および操作パネル部を設けるとともに、内部に制御器を設け、制御器に、前記コイン投入口からのコインの投入を確認して前記操作パネル部をＯＮする機能と；操作パネル部からの入力信号に基づき、ゲームの種類を決定してその遊技の内容および遊技の進行状態を液晶表示パネルに表示する機能と；ダーツがダーツボードに当たった際のダーツボードからの入力信号に基づき、遊技者の得点を演算して、演算結果を液晶パネルに表示する機能と；を持たせるようにしているので、遊技内容をよく知らない遊技者であっても、ゲームの内容や進行状態を容易に把握して色々なゲームを簡単に楽しむことができ、また複数の遊技者が一つのゲームを同時に行なって楽しむこともできる。
【０００９】
本発明はまた、制御装置本体に、音声報知手段を設けるようにしているので、高齢者等であっても、老眼鏡を装着して液晶表示パネルを確認することなく、ゲームを楽しむことができる。
【発明を実施するための最良の形態】
【００１０】
以下、本発明を図面を参照して説明する。
図１および図２は、本発明実施の一形態に係るダーツ遊戯装置を示すもので、このダーツ遊戯装置１は、中央部にダーツボード３が組込まれた的本体２と、的本体２の下部に一体に設けられた制御装置本体４と、的本体２に対し開閉可能に取付けられた蓋体５とを備えており、蓋体５の内面には、液晶表示パネル６が組込まれており、この液晶表示パネル６は、蓋体５を開くことにより目視可能となるとともに、蓋体５を開くことによりＯＮとなり、図３に示す初期画面を表示するようになっている。
【００１１】
また、前記制御装置本体４には、図１および図２に示すように、その表面にコイン投入部７および操作パネル部８が設けられているとともに、内部には、図４に示すように、制御器９およびスピーカー１０が組込まれている。
【００１２】
前記コイン投入部７には、図５に示すように、例えば１００円玉投入口１１と５００円玉投入口１２とが設けられており、遊戯者がこれらいずれかの投入口１１，１２に所定金員の硬貨を投入することにより、前記制御器９がこれを検知して、操作パネル部８をＯＮするようになっている。
【００１３】
この操作パネル部８には、図６に示すように、ゲームの種類やプレーヤー数を選択する選択釦１３，液晶表示パネル６の表示画面を１つ前の表示画面に戻すための戻る釦１４，および選択釦１３で選択したゲームの種類等を確定するための決定釦１５が設けられている。
【００１４】
前記初期画面には、図３に示すように、ダーツ遊戯装置１の操作方法を示す操作方法表示部１６、コイン投入部７から投入されたコイン数を円表示する投入数表示部１７、選択可能なゲームの種類を表示する選択ゲーム種別表示部１８、および選択されたゲームのプレーヤー数を表示するプレーヤー数表示部１９がそれぞれ表示され、操作パネル部８での操作により、選択できるようになっている。
【００１５】
すなわち、遊戯者が初期画面の内容を見て、例えばコイン投入部７の１００円玉投入口１１から３枚の１００円硬貨を投入すると、投入数表示部１７に投入された硬貨の金員に相応する「３００円」が表示されるようになっている。
【００１６】
この状態で、遊戯者が選択ゲーム種別表示部１８の中から、例えば操作パネル部８の選択釦１３を用いて「カウントアップ」を選択して決定釦１５で確定するとともに、プレーヤー数表示部１９の中から、「４人」を選択して決定釦１５で確定すると、「１００円」不足することになるので、操作方法表示部１６の「１００円玉を投入してください」の部分が点滅するとともに、スピーカー１０から、「１００円不足します。硬貨を追加して下さい」の音声が流れる。
【００１７】
遊戯者が、コイン投入部７の１００円玉投入口１１から、追加の１００円硬貨を投入すると、図７に示すカウントアップの説明画面が液晶表示パネル６に表示されるとともに、表示内容と同一内容あるいはこれよりも詳しい説明内容がスピーカー１０から流れる。
【００１８】
遊戯者がその内容を確認して、他のゲームを選択したいと考えた場合には、操作パネル部８の戻る釦１４を操作することにより、液晶表示パネル６の表示内容が、図３に示す初期画面に戻るとともに、ゲーム確定状態が解除され、スピーカー１０から「ゲームを選択し直して下さい」の音声が流れる。
【００１９】
一方、遊戯者が、図７に示すカウントアップの説明画面を見て、カウントアップゲームを行ないたいと考えた場合には、操作パネル部８の決定釦１５を操作する。すると、液晶表示パネル６の表示内容が、図８に示すプレイ画面に変わる。
【００２０】
このプレイ画面には、図８に示すように、プレイ回数表示部２０，プレーヤー表示部２１，当該遊技者の得点表示部２２，各遊技者の最終予想得点表示部を備えた各遊技者の合計得点表示部２３，メッセージ表示部２４，およびオプション選択部２５がそれぞれ設けられている。そして、前記メッセージ表示部２４には、例えば「一人目が３回投げて下さい」，「あと２回投げて下さい」，「あと１回投げて下さい」，「ダーツを抜いて決定ボタンを押して下さい」，あるいは「一人目が優勝です。おめでとうございます」等のメッセージが表示されるとともに、これと同一内容あるいはこれよりも詳しい内容のメッセージが、スピーカー１０から流れるようになっている。
【００２１】
このようにして、遊技が終了すると、液晶表示パネル６の表示画面が、図９に示す平均値表示画面に自動的に切替わるとともに、平均値表示画面が例えば５秒間表示された後、液晶表示パネル６の表示画面が、図３に示す初期画面に切替わるようになっている。
【００２２】
一方、図３に示す初期画面で、例えば「３０１ゲーム」を指定した場合には、図１０に示す３０１ゲーの説明画面が液晶表示パネル６に表示されるとともに、表示内容と同一内容あるいはこれよりも詳しい説明内容がスピーカー１０から流れる。
【００２３】
遊技者がその内容を確認して、３０１ゲームを行ないたいと考えた場合には、操作パネル部８の決定釦１５を操作する。すると、液晶表示パネル６の内容が図１１に示すプレイ画面に変わる。
【００２４】
このプレイ画面には、図１１に示すように、プレイ回数表示部２６，プレーヤー表示部２７，当該遊技者の得点表示部２８，各遊技者の得点表示部２９，メッセージ表示部３０およびオプション選択部３１がそれぞれ設けられているので、オプション設定したい場合には、遊技前に、操作パネル部８の選択釦１３と決定釦１５とを用いてオプション選択部３１を操作し、図１２に示すオプション画面を液晶表示パネル６に表示させて、オプション設定を行なう。
【００２５】
なお、図１１に示すメッセージ表示部３０には、図８に示すカウントアップゲームの場合と同様、「一人目が３回投げて下さい」等のメッセージが、遊技の進行に合わせて表示されるとともに、これと同一内容あるいはこれよりも詳しい内容のメッセージが、スピーカー１０から流れる。
【００２６】
このようにして、遊技が終了すると、液晶表示パネル６の表示画面が、図１３に示す平均値表示画面に自動的に切替わるとともに、平均値表示画面が例えば５秒間表示された後、液晶表示パネル６の表示画面が、図３に示す初期画面に切替わる。
【００２７】
なお、５０１ゲームを選択したり、あるいはクリケットゲームを選択した場合にも、前記同様の説明画面やプレイ画面等が液晶表示パネル６に表示されるとともに、ゲーム内容の説明やゲームの進行状態に合わせた音声メッセージが、スピーカー１０から流れる。
【００２８】
しかして、ゲーム内容の説明やゲームの進行状態が、液晶表示パネル６に表示されるとともに、これと同様の音声情報がスピーカー１０から流れるので、遊技内容をよく知らない遊技者や高齢者等であっても、充分にゲームを楽しむことができる。
【産業上の利用可能性】
【００２９】
以上のように、本発明に係るダーツ遊技装置は、遊技内容をよく知らない遊技者であっても、容易にゲームを楽しむことができる装置として有用であり、特に複数のゲームを複数の遊技者で楽しむことができる装置として適している。
【図面の簡単な説明】
【００３０】
【図１】本発明の実施の一形態に係るダーツ遊技装置を蓋体を開いて示す構成図である。
【図２】図１の蓋体を閉じた状態を示す図１相当図である。
【図３】図１の液晶表示パネルの初期画面を示す説明図である。
【図４】図１の制御装置本体の内部構造を示す説明図である。
【図５】コイン投入部の詳細を示す説明図である。
【図６】操作パネル部の詳細を示す説明図である。
【図７】カウントアップゲームの説明画面を示す説明図である。
【図８】カウントアップゲームのプレイ画面を示す説明図である。
【図９】カウントアップゲームの平均値表示画面を示す説明図である。
【図１０】３０１ゲームの説明画面を示す説明図である。
【図１１】３０１ゲームのプレイ画面を示す説明図である。
【図１２】３０１ゲームのオプション画面を示す説明図である。
【図１３】３０１ゲームの平均値表示画面を示す説明図である。
【符号の説明】
【００３１】
１  ダーツ遊技装置
２  的本体
３  ダーツボード
４  制御装置本体
５  蓋体
６  液晶表示パネル
７  コイン投入部
８  操作パネル部
９  制御器
１０  スピーカー
１６  操作方法表示部
１７  投入数表示部
１８  選択ゲーム種別表示部
１９  プレーヤー数表示部
２０，２６  プレイ回数表示部
２１，２７  プレーヤー表示部
２２，２８，２９  得点表示部
２３  合計得点表示部
２４，３０  メッセージ表示部
２５  オプション選択部
【図１】
2006122373.tif 000003
【図２】
2006122373.tif 000004
【図３】
2006122373.tif 000005
【図４】
2006122373.tif 000006
【図５】
2006122373.tif 000007
【図６】
2006122373.tif 000008
【図７】
2006122373.tif 000009
【図８】
2006122373.tif 000010
【図９】
2006122373.tif 000011
【図１０】
2006122373.tif 000012
【図１１】
2006122373.tif 000013
【図１２】
2006122373.tif 000014
【図１３】
2006122373.tif 000015